(57)【要約】【課題】Ｌ型通気材の設置が容易で、下方から見上げてもＬ型通気材の開口端面が露見しないために外観が損なわれるおそれがない、換気構造を提供することを課題とする。【解決手段】  壁体１と、壁体１の外側又は内側、あるいは、内外両側に適宜間隔の通気層１０、１０ａを保持して配設されるパネル１１、１１ａと、パネル１１、１１ａの上面上に載置されるＬ型通気材２１と、パネル１１、１１ａから壁体１にかけて被装される被装材３２とから成り、Ｌ型通気材２１は、一端面から他端面に抜ける通気路を多数有する長尺部２２及び短尺部２３を直交状態に接合して構成され、短尺部２３の開口端面は斜面にされ、短尺部２３の斜面にされた開口端面が上向きとなるようにして長尺部２２がパネル１１、１１ａの上面上に載置され、Ｌ型通気材２１を介して通気層が大気と連通状態にされる。【選択図】図１
2014005628.tif 000002
【特許請求の範囲】
【請求項１】
壁体と、前記壁体の外側又は内側、あるいは、内外両側に適宜間隔の通気層を保持して配設されるパネルと、前記パネルの上面上に載置されるＬ型通気材と、前記パネルから前記壁体にかけて被装される被装材とから成り、
前記Ｌ型通気材は、一端面から他端面に抜ける通気路を多数有する長尺部及び短尺部を直交状態に接合して構成され、前記短尺部の開口端面は斜面にされ、前記短尺部の斜面にされた開口端面が上向きとなるようにして前記長尺部が前記パネルの上面上に載置され、前記Ｌ型通気材を介して前記通気層が大気と連通状態にされることを特徴とする住宅の壁体構造部における換気構造。
【請求項２】
前記壁体の外方側側面上部に、前記壁体の外側に形成される前記通気層に連通する通気開口を設け、前記壁体の下部を家屋内空間に連通させることにより、上昇して前記壁体の通気空間内に入った前記家屋内空間内の空気が、更に前記壁体の通気空間内を上昇して前記通気開口から抜けるようにした、請求項１に記載の住宅の壁体構造部における換気構造。
【請求項３】
前記壁体の外側に形成される前記通気層と前記壁体の内側に形成される前記通気層とが、それらの上端部において連通状態にされる、請求項１又は２に記載の住宅の壁体構造部における換気構造。
【請求項４】
前記被装材は笠木である、請求項１乃至３のいずれかに記載の住宅の壁体構造部における換気構造。
【請求項５】
前記Ｌ型通気材の長尺部の端部の上面及び下面にパッキン材が配置される、請求項１乃至４のいずれかに記載の住宅の壁体構造部における換気構造。
【発明の詳細な説明】
【技術分野】
【０００１】
本発明は、住宅の壁体構造部における換気構造に関するものであり、より詳細には、一般住宅の壁体構造部、即ち、パラペット、ベランダの手摺り、あるいは、ケラバ等に適用される換気構造であって、殊に、陸屋根式住宅等のように棟や軒のない住宅等においても壁体換気及び小屋裏換気を行うことを可能にする、住宅の壁体構造部における換気構造に関するものである。
【背景技術】
【０００２】
最近の一般住宅は、敷地の有効利用等の観点から、四角形状で陸屋根としたものが増えてきている。そして、その陸屋根には、その外周に沿って立ち上げた、人の落下や雨水の外壁を伝っての流下を防止するためのパラペットが設けられる。また、ベランダの周縁部にも、同様の手摺り壁が設けられる。
【０００３】
ところで、夏場において住宅は、日射を受けてその外装材や屋根材がかなり高温となり、小屋裏の温度は、しばしば６５度を超える。従って、特に夏場においては、室内の快適な温熱環境を維持して涼しさを確保するためには、室内だけでなく、小屋裏の換気を行う必要がある。この小屋裏換気の方法としては、棟換気又は軒換気が一般的であり、種々の棟換気装置及び軒換気装置が提案され、実用化されている（特許第３１２７１３２号公報、特開２０００−２２０２６６号公報、特開２００１−３２３６１９号公報等）。
【０００４】
多くの場合、住宅の外壁に沿って通気層が形成される。この通気層は、壁内に進入した湿気を排出し、構造躯体を乾燥させて住宅の耐久性を高める役割、外壁から侵入した雨水の排出経路としての役割、並びに、夏季に、太陽照射により熱せられた外壁材からの伝導熱を防ぎ、更に室内の温熱環境を良好に保つ役割を果たす。
【０００５】
通例、この壁体構造部に形成される通気層は小屋裏空間に連通状態にされていて、この通気層から流れ出る空気は、一旦小屋裏空間に解放された後、上記棟換気装置や軒換気装置を介して棟部又は軒部から排出される。しかし、上記陸屋根式の住宅の場合は、棟や軒がないため、このような方法を採ることができない。また、ベランダの手摺りは、多くの場合、換気可能に構築されていない。
【０００６】
更に、従来ケラバの場合は、通気層及び小屋裏の換気を行うためにケラバ側（妻壁側）
の壁面に換気口を設けていたが、外観が損なわれ、また、その外壁部分に雨だれによる汚染が生ずることから、次第に敬遠されるようになってきた。そこで、その代わりに、通気層の上部において、防水紙に孔を開ける等して小屋裏と連通させ、棟又は軒の換気部材から排気することが行われているが、この方法の場合は、直接大気に開口するという観点での換気面積（開口面積）が少ないため、この方法によって十分な小屋裏換気を行うことはできない。
【０００７】
このような問題を解決するため、本願出願人は先に、壁体の両側に適宜間隔の通気層を設け、外側の前記通気層は上端及び下端を外部に開口させ、内側の前記通気層は、その上端は外部に開口させ又は前記外側通気層に連通させ、その下端は外部に開口させ又は小屋裏空間その他の住宅内空気溜まり部に連通させ、前記外側通気層の上端部における外部開口部に、中間部が折曲されていて、前記中間折曲部を通って一端面から他端面に抜ける通気路が多数縦横に連設されたＬ型通気材をその水平部を上にして配備したことを特徴とする住宅の壁体構造部における換気構造を提唱している（特開２０１２−７４３３号公報）。  
【先行技術文献】
【特許文献】
【０００８】
【特許文献１】特許第３１２７１３２号公報
【特許文献２】特開２０００−２２０２６６号公報
【特許文献３】特開２００１−３２３６１９号公報
【特許文献４】特開２０１２−７４３３号公報
【発明の概要】
【発明が解決しようとする課題】
【０００９】
しかるに、上記従来提唱されている換気構造の場合は、Ｌ型通気材設置に際してＬ型通気材を壁体に対してビス留めする作業が必要となり、また、Ｌ型通気材の開口端面が下向きとなるために、下から見上げた際にその開口端面が露見してしまい、デザイン上問題となり、更に、現場によってはＬ型通気材が笠木からはみ出してしまうことがあるが、その場合は、デザイン性、耐久性（太陽光線が直接当たる）、及び、防水性上の問題が起こる。
【００１０】
本発明は、このような従来の換気構造における諸問題を一挙に解決するためになされたもので、Ｌ型通気材設置に際してＬ型通気材のビス留め作業が不要で、下方から見上げても、Ｌ型通気材の開口端面が露見しないために外観が損なわれることがなく、また、Ｌ型通気材が笠木からはみ出すことがないために、それがはみ出すことに伴って発生するデザイン性、耐久性、及び、防水性上の問題が起きるおそれがない、換気構造を提供することを課題とする。
【課題を解決するための手段】
【００１１】
上記課題を解決するための請求項１に係る発明は、壁体と、前記壁体の外側又は内側、あるいは、内外両側に適宜間隔の通気層を保持して配設されるパネルと、前記パネルの上面上に載置されるＬ型通気材と、前記パネルから前記壁体にかけて被装される被装材とから成り、前記Ｌ型通気材は、一端面から他端面に抜ける通気路を多数有する長尺部及び短尺部を直交状態に接合して構成され、前記短尺部の開口端面は斜面にされ、前記短尺部の斜面にされた開口端面が上向きとなるようにして前記長尺部が前記パネルの上面上に載置され、前記Ｌ型通気材を介して前記通気層が大気と連通状態にされることを特徴とする住宅の壁体構造部における換気構造である。
【００１２】
一実施形態においては、前記壁体の外方側側面上部に、前記壁体の外側に形成される前記通気層に連通する通気開口を設け、前記壁体の下部を家屋内空間に連通させることにより、上昇して前記壁体の通気空間内に流入した前記家屋内空間内の空気が更に前記壁体の通気空間内を上昇して前記通気開口から抜けるように構成される。また、前記壁体の外側に形成される前記通気層と前記壁体の内側に形成される前記通気層は、それらの上端部において連通状態にされる。更に、一実施形態においては、前記被装材は笠木とされ、前記Ｌ型通気材の長尺部の端部の上面及び下面にパッキン材が配置される。
【発明の効果】
【００１３】
本発明は上記のとおりであって、本発明に係る換気構造の場合のＬ型通気材は、パネルの上面上に、ビス留めを要せずに、単に載置し、あるいは、両面テープやコーキング材を介して簡単に安定的に配置できるため、施工を簡略化でき、また、Ｌ型通気材の開口端面が深い位置において横向きとなるために、下から見上げても殆ど視認できない状態となり、以て。その開口端面が露見することによって外観が損なわれるおそれがなくなり、更に、Ｌ型通気材が笠木からはみ出して、デザイン性、耐久性及び防水性上の問題を惹起するおそれがないという効果がある。
【図面の簡単な説明】
【００１４】
【図１】本発明に係る住宅の壁体構造部における換気構造の一実施形態（パラペットに実施した場合）の縦断面図である。
【図２】本発明に係る住宅の壁体構造部における換気構造の一実施形態の要部縦断面図である。
【図３】本発明に係る住宅の壁体構造部における換気構造の一実施形態において用いられるＬ型通気材の構成を示す図である。
【図４】本発明に係る住宅の壁体構造部における換気構造の一実施形態において用いられる円筒体の構成を示す図である。
【図５】本発明に係る住宅の壁体構造部における換気構造の他の実施形態（ケラバに実施した場合）の縦断面図である。
【発明を実施するための形態】
【００１５】
本発明を実施するための好ましい形態について、添付図面に依拠して説明する。なお、本発明において言うところの壁体構造部には、パラペット、ベランダの手摺り及びケラバ等が含まれる。図１乃至図４には、本発明に係る換気構造をパラペットについて実施した形態が示されている。
【００１６】
そこに示される換気構造は、骨組材２を組んで形成した骨組みの両面に板材４、５を張ることにより、内側に通気空間３を確保して成る壁体１と、壁体１の外側又は内側、あるいは、内外両側（図１に示す例は内外両側）に、適宜間隔の通気層１０、１０ａを保持して配設されるパネル１１、１１ａと、壁体１及びパネル１１、１１ａの上面に設置される笠木３１とから構成されるものである。そして、少なくとも外側のパネル１１上に、大気と通気層１０とを連通させるＬ型通気材２１が載置される。
【００１７】
Ｌ型通気材２１は、図３に示されるように、長尺部２２と長尺部２２に対して直交状態となる短尺部２３とから成り、通例、長尺部２２と短尺部２３は別成形され、ブチルテープ２４等を介して直交状態に接合される。長尺部２２と短尺部２３は、幅方向（図において左右方向）に抜ける通気路２５を並設したプラスチック板を多数段積層し、熱線で溶断して所定幅にすると共に一体化する、公知の方法を利用して製造することができる（特許第２６１０３４２号公報等参照）。その場合、通気材の強度を増すために、最上段と最下段のプラスチック板は、その間のプラスチック板と９０度向きを変えて積層することが好ましい。
【００１８】
長尺部２２と短尺部２３は、互いに連通状態に接合する必要があるため、各接合面は４５度の角度の斜面とされる（図３参照）。また、長尺部２２の開口端面は垂直面とされ、短尺部２３の開口端面は、通例、その接合面と平行な斜面とされる。なお、長尺部２２と短尺部２３は、互いに連通可能であれば足りるため、長尺部２２の通気路２５のサイズと短尺部２３の通気路２５のサイズは必ずしも同じである必要はなく、例えば、図３（Ｂ）に示す例のように、短尺部２３の通気路２５のサイズを長尺部２２の通気路２５のサイズの倍にすることもできる。
【００１９】
上述したように壁体１は、骨組みの両面に板材４、５を張り、内部に通気空間３を確保して構成されるが、通気空間３の下部は、小屋裏等の家屋内空間に連通状態にされる。外側の板材４の上端部は開口され、そこに、通気空間３の水平方向中程にまで延出するフランジ付き円筒体６が複数嵌合される。かくして、小屋裏等の家屋内空間から上昇してくる暖かい空気が、壁体１の通気空間３内を上昇して円筒体６から外側の通気層１０に抜け、自然の流れでＬ型通気材２１を通って大気に放出されるという空気の流れができる。
【００２０】
また、壁体１を構成する各板材４、５の上端部（円筒体６設置部より上側）に切欠き８が形成され、以て、通気層１０a内を上昇してくる空気は、板材５の側の切欠き８から通気空間３内に入り、板材４の側の切欠き８から通気層１０へと抜けるように移動する。Ｌ型通気材２１を外側のパネル１１上だけでなく、内側のパネル１１ａ上にも設置する場合は、切欠き８は必ずしも設けなくてもよい。なお、好ましい実施形態においては、円筒体６の先端開口部の下部又は上下部に、水切り板７が設けられる（図４参照）。
【００２１】
パネル１１、１１ａとしては、通例、ＡＬＣ（軽量気泡コンクリート）パネルが用いられる。パネル１１、１１ａは、例えば、厚さが３７ｍｍ程度のものとされ、図示せぬ通気胴縁を介して壁体１に固定されることにより、当該通気胴縁によって通気層１０、１０ａが形成される。外側のパネル１１は建物の下部まで延びて、地表付近に吸気口が設けられ、そこから外気が通気層１０内に流入して、上昇可能にされる。内側のパネル１１ａの下部は、屋根面３９との間に通気間隙を保持して屋根面３９近くまで延びる。
【００２２】
図示した例においては、Ｌ型通気材２１は外側のパネル１１上にのみ載置されていて、内側のパネル１１ａの上部は天板３５にまで延びている。Ｌ型通気材２１はパネル１１（１１ａ）の上面上に、その短尺部２３の開口端面が上向きとなるようにして載置されるため、その長尺部２２の長尺辺側の長さは、パネル１１、１１ａの厚さに対応する長さとされる。
【００２３】
笠木３１は、特に限定されるものではないが、一般に、アルミニウム製の本体３２とベースアンカ３３とから成るものが用いられる。この笠木３１の場合、ベースアンカ３３を、壁体１上に配置される下地材３４及びその上に配置されてパネル１１、１１ａ上にまで延びる天板３５を通して壁体１の骨組み材２に打ち付け、その後ベースアンカ３３に本体３２を組み付けることにより設置する（オープンジョイント式）。その際、必要に応じ、天板３５とＬ型通気材２１間の隙間を、パッキン材３６を用いてシーリング処理する。また、Ｌ型通気材２１とパネル１１（１１ａ）上面との間にもパッキン材３６を介在させる。
【００２４】
この実施形態に係るパラペットを構築するには、先ず、骨組みを形成し、その両面に板材４、５を張り付けて内側に通気空間３を確保し、その下部を、小屋裏に通じる家屋内空間に連通させる。また、板材４の上部に円筒体６を嵌め付け、壁体１の上面に下地材３４を固定する。
【００２５】
次いで、壁体１の側面に通気胴縁を打ち付け、その通気胴縁にパネル１１、１１ａを固定し、パネル１１（１１ａ）の上面上に、短尺部２３を内側（壁体１側）にして長尺部２２を載置することによりＬ型通気材２１を載置する。Ｌ型通気材２１は、パネル１１上に単に載置するだけであってもよいが、好ましくは、両面テープやコーキング材等を介して設置することにより、安定性を確保するようにする。Ｌ型通気材２１は、その設置状態において、短尺部２３の斜面にされた開口端面が上向きとなるようにする。
【００２６】
その後、壁体１の板材４から下地材３４及び板材５にかけて透湿・防水シート３７を被装し、その上に天板３５及び笠木３１のベースアンカ３３を載置し、ベースアンカ３３を、天板３５、透湿・防水シート３７及び下地材３４を挟んで骨組み材２に打ち付け固定する（図１参照）。この設置状態において、笠木３１の本体３２の垂直部下端がＬ型通気材２１の下面、換言すれば、パネル１１（１１ａ）の上面より少し下に位置するようにする必要がある。
【００２７】
このような構成の本発明に係る壁体構造部における換気構造を採用したパラペットの場合、小屋裏内の暖かい空気は、常時、上昇して通気空間３内に流入して上昇し、円筒体６から通気層１０に抜け、Ｌ型通気材２１を通り抜けて大気に放出される。また、外側のパネル１１の地表付近の吸気口から通気層１０内に流入した外気は、通気層１０内を上昇し、Ｌ型通気材２１を通り抜けて大気に放出される。
【００２８】
一方、内側のパネル１１の屋根面３９近くの通気間隙から通気層１０ａ内に流入した外気は、通気層１０ａ内を上昇し、板材５及び板材４の切欠き８を通って通気層１０側に抜け、Ｌ型通気材２１を通り抜けて大気に放出される。また、内側のパネル１１ａ上にもＬ型通気材２１が設置される場合は、通気層１０ａ内を上昇してくる外気は、Ｌ型通気材２１を通って大気に放出される。このような空気の自然の流れにより、小屋裏内の空気が随時排出されるため、小屋裏内における熱こもり現象が解消され、室内の温熱環境が良好に保たれる。
【００２９】
また、強風雨時においてパラペットに風が吹き付けた場合、仮に真横から吹き付けたとしても、笠木本体３２の垂直部下端がＬ型通気材２１の長尺部２２の下面、換言すれば、パネル１１の上面より少し下に位置するように配置されているため、雨水がＬ型通気材２１の長尺部２２内に進入することが阻止される。また、長尺部２２内への風雨はパネル１１に沿って下方から入ってくることになり、その風向は長尺部２２の通気方向と直交するために圧損抵抗が高くなり、更に、短尺部２３の通気方向が重力と反対方向であって、雨水の表面張力及び自重が風圧力を上回るため、通気層１０及び壁体１の通気空間３内への進入は皆無となり、家屋内空間及び小屋裏内に雨水が入り込むことはない。
【００３０】
本発明に係る壁体構造部における換気構造をベランダの手摺に採用する場合は、大体上記パラペットの場合に準じる。また、ケラバに採用する場合は、笠木３１の部分が、屋根板４１、野地板４２、垂木４３等で構成されることになる（図５参照）。この場合も、小屋裏内の暖かい空気は上昇して通気層１０に抜け、Ｌ型通気材２１を経て大気に放出される。
【００３１】
この発明をある程度詳細にその最も好ましい実施形態について説明してきたが、この発明の精神と範囲に反することなしに広範に異なる実施形態を構成することができることは明白である。従って、この発明は、添付請求の範囲において限定した以外はその特定の実施形態に制約されるものではない。
【符号の説明】
【００３２】
１    壁体
２    骨組み材
３    通気空間
４、５    板材
６    円筒体
７    水切り板
８    切欠き
１０、１０ａ    通気層
１１、１１ａ    パネル
２１    Ｌ型通気材
２２    長尺部
２３    短尺部
２４    ブチルテープ
２５    通気路
３１    笠木
３２    本体
３３    ベースアンカ
３４    下地材
３５    天板
３６    パッキン材
３７    透湿・防水シート
３９    屋根面
【図１】
2014005628.tif 000003
【図２】
2014005628.tif 000004
【図３】
2014005628.tif 000005
【図４】
2014005628.tif 000006
【図５】
2014005628.tif 000007